(57)【要約】      （修正有）【課題】高価なフィギュア等に代わって安価で、しかも、ガスの容量を減らすことなく装飾体を立体的に表現できるライターを提供する。【解決手段】ライター本体１のガスタンク２内に装飾体３を封入せしめる。装飾体３は、透明な合成樹脂製のプレートからなり、その表面に、広告、フィギュア、キャラクター人形等の図柄模様３ａを表示せしめる。この装飾体３は、ライター本体１若しくはガスタンク２の断面形状に沿うべく湾曲状態に折り曲げたり、立体的に折り曲げることで、従来の高価なフィギュア等に比して、安価で、かつ、容量が少なくしてガスタンク２内に立体的装飾を表現でき、しかも、図柄模様３ａのみがガスタンク２の表面に浮き出るように表現できる。【選択図】図４
0003115120.tif 000002
【実用新案登録請求の範囲】
【請求項１】
ライター本体のタンク内に、広告、フィギュア若しくはキャラクター人形等の装飾体を封入してなるガスライターにおいて、前記装飾体は、フィギュア若しくはキャラクター人形等の図柄模様を施して立体的に折り曲げてなるプレートであることを特徴とするライター。
【請求項２】
前記装飾体は、二つに折り曲げてなるプレートの前後両面に図柄模様が施されると共に、ライター本体の正面に同図柄模様がでるように位置決めされていることを特徴とする請求項１に記載のライター。
【請求項３】
前記装飾体は、ライター本体若しくはタンクの断面形状に沿って湾曲された透明プレートからなることを特徴とする請求項１に記載のライター。
【考案の詳細な説明】
【技術分野】
【０００１】
本考案は、ライターのタンク内にフィギュア等の装飾体を封入してなるライターの改良に関し、更に詳しくは、フィギュア等の商品に代わって立体的に表現できるライターに関する。
【背景技術】
【０００２】
従来、斯かるライターは、着火操作子の押し下げ操作によってガス噴出ノズルが操作されてガスの噴出が始まると共に、着火手段が操作されて火花が発生し、ガス着火が行われるように組み付けられており、また、昨今では、ガスタンク内に広告、フィギュア若しくはキャラクター人形等の装飾体を封入してなるガスライターが数多く市販されている(例えば、特許文献１参照)。
【特許文献１】登録実用新案公報第３０５５８８８号
【考案の開示】
【考案が解決しようとする課題】
【０００３】
しかしながら、上述した従来のライターにあっては、装飾体がフィギュア等のように立体的で重みもあるため、ガスタンク内に封入される液化ガスの容量が減ってしまうといった問題があり、また、フィギュア自体が比較的高価であるため、その分、ライターのコストも高くなってしまうといった課題がある。
【０００４】
本考案はこのような従来の問題点に鑑みてなされたもので、高価なフィギュア等に代わって安価で、しかも、ガスの容量を減らすことなく装飾体を立体的に表現できるライターを提供することを目的としたものである。
【課題を解決するための手段】
【０００５】
上述の如き従来の問題点を解決し、所期の目的を達成するため本考案の要旨とする構成は、ライター本体に形成されたタンク内に、広告、フィギュア若しくはキャラクター人形等の装飾体を封入してなるガスライターにおいて、前記装飾体は、フィギュア若しくはキャラクター人形等の図柄模様を施したものを立体的に折り曲げてなるプレートであることを特徴とするライターに存する。
【０００６】
前記装飾体は、二つに折り曲げてなるプレートの前後両面に図柄模様が施されると共に、ライター本体の正面に同図柄模様がでるように位置決めされるのが良い。
【０００７】
また、前記装飾体は、ライター本体若しくはタンクの断面形状に沿って湾曲された透明プレートで構成しても良い。
【考案の効果】
【０００８】
本考案は上述のように構成され、前記装飾体が、フィギュア若しくはキャラクター人形等の図柄模様を施したものを立体的に折り曲げてなるプレートからなることによって、従来の高価なフィギュア等に比して、安価でしかも容量が少なくしてガスタンク内で立体的表現ができるといった効果を奏する。
【０００９】
また、前記装飾体は、二つに折り曲げてなるプレートの前後両面に図柄模様が施されると共に、ライターの正面に同図柄模様が出るように位置決めされることによって、より図柄模様を立体的に見せることができるといった効果を奏する。
【００１０】
更に、前記装飾体が、ライター本体若しくはタンクの断面形状に沿って湾曲された透明プレートからなることによって、前記図柄模様のみがライター本体若しくはタンクの表面に浮き出るように立体的表現ができるといった効果を奏する。
【００１１】
このように本考案のライターは、単に煙草に火を着けるといったライター本来の使い方だけではなく、高価なフィギュア等に代わって安価で、しかも、ガスの容量を減らすことなく立体的に表現できる趣向性に富んだライターを提供できるものであり、また、構成が単純であるため、大量生産に適し価格も低廉なものとして需用者に供給できるなど、本考案を実施することはその実益的価値が甚だ大である。
【考案を実施するための最良の形態】
【００１２】
透明プレートの表面に広告、フィギュア若しくはキャラクター人形等の図柄模様を施してなる装飾体を、ライター本体若しくはタンクの断面形状に沿って湾曲させた状態で、ガスタンク内に挿着せしめる。
【実施例】
【００１３】
次に本考案の実施の一例を図面を参照しながら説明する。図中Ａは、本考案に係るライターの一実施例を示すものであり、このライターＡは、図１に示すように、ライター本体１と、該ライター本体１内に形成されたガスタンク２と、ガスタンク２内に封入された装飾体３とを備えている。
【００１４】
ライター本体１は、風防４内に着火機構(図示せず)を備え、着火操作子５を押込操作することにより、ガス噴出ノズル(図示せず)よりガスが噴出し、圧電素子により放電着火されるべく連動されていることは云うまでもない。
【００１５】
ガスタンク２は、内部が透視できるように透明な合成樹脂材で成形されており、タンク内に封入された液化ガスが吸上部材６で吸い上げられ、バルブ機構（図示せず）で気化され後、前記ガス噴出ノズル(図示せず)からガスが噴出されるように構成されている。
【００１６】
装飾体３は、透明な合成樹脂製のプレートからなり、その表面に、広告、フィギュア、キャラクター人形等の図柄模様３ａが印刷されている。また、この装飾体３は、ライター本体１若しくはガスタンク２の断面形状に沿うべく湾曲状態に折り曲げられている。
【００１７】
このように構成される本考案のライターＡは、前記装飾体３が、合成樹脂製の透明プレートに図柄模様３ａを施し、それを立体的に湾曲させているため、従来の高価なフィギュア等に比して、安価でしかも容量が少なくしてガスタンク２内に立体的装飾を表現でき、しかも、図柄模様３ａのみがガスタンク２の表面に浮き出るように表現できる。
【００１８】
尚、本考案のライターは、本実施例に限定されることなく、本考案の目的の範囲内で自由に設計変更し得るものであり、本考案はそれらの全てを包摂するものである。例えば、本実施例で使用している装飾体３及び図柄模様３ａは本実施例に限定されるものではなく、図３(ｂ)(ｃ)に示すように、二つに折り曲げた透明なプレート８の前後両面に、同じ図柄模様の正面、背面をそれぞれ印刷したり、アニメやキャラクター人形、フィギュアを模して描いたものを立体的に見えるべく曲げ入れても良い。
【００１９】
また、本実施例では、ライター本体１として、ピエゾライターを使用しているが、これに限定されることなく、オイルライターやフリント式ライターにも応用できるものであり、本考案はこれらの全てを包摂するものである。
【図面の簡単な説明】
【００２０】
【図１】本考案に係るライターの第１実施例を示す斜視図である。
【図２】本実施例で使用する装飾体の取り付けを示す説明図である。
【図３】図３(ａ)は本実施例で使用する装飾体の説明図、図３(ｂ)は他の装飾体を示す説明図、図３(ｃ)は同展開図である。
【図４】本考案に係るライターの第２実施例を示す斜視図である。
【符号の説明】
【００２１】
１  ライター本体
２  ガスタンク
３  装飾体
３ａ  図柄模様
４  風防
５  着火操作子
６  吸上部材
７  底蓋
【図１】
0003115120.tif 000003
【図２】
0003115120.tif 000004
【図３】
0003115120.tif 000005
【図４】
0003115120.tif 000006